(57)【要約】      （修正有）【課題】ノード間で頻繁に発生するコネクションと、ノードの追加および削除に対する管理をリアルタイムに行えるようにする方法を提供する。【解決手段】データ中心オブジェクト指向通信（ＤＤＳ）方式を利用する複数のノードを含む配電網ネットワークシステムにおいて、複数のノードは、ＷＡＮに連結されたノード管理ゲートウェイ装置１１０〜１２０を含む。ノード管理ゲートウェイ装置は、全ノードがＬＡＮで通信するかのように通信するようにシンプルトンネリング（Ｓｉｍｐｌｅ  Ｔｕｎｎｅｌｉｎｇ）を適用したＲＴＰＳメッセージを送信または受信する。ＲＴＰＳメッセージは、ゲートウェイＩＰ情報と、ゲートウェイＵＤＰ情報、マジック（Ｍａｇｉｃ）情報およびメッセージ情報を含む。マジック情報は、ゲートウェイＵＤＰ情報とメッセージ情報との間に位置して、参加者の発信地ＩＰ情報、目的地ＩＰ情報、目的地ＵＤＰ情報を含む。【選択図】図２
2019097154.tif 000002
【特許請求の範囲】
【請求項１】
データ中心オブジェクト指向通信（Ｄａｔａ  Ｄｉｓｔｒｉｂｕｔｉｏｎ  Ｓｅｒｖｉｃｅ）方式を利用する複数のノードを含む配電網ネットワークシステムにおいて、
前記複数のノードそれぞれは、ＷＡＮ（Ｗｉｄｅ  Ａｒｅａ  Ｎｅｔｗｏｒｋ）に連結されたゲートウェイを含み、
前記ゲートウェイは、全ノードがＬＡＮ（Ｌｏｃａｌ  Ａｒｅａ  Ｎｅｔｗｏｒｋ）で通信するかのように通信するようにシンプルトンネリング（Ｓｉｍｐｌｅ  Ｔｕｎｎｅｌｉｎｇ）を適用したＲＴＰＳ（Ｗｉｄｅ  Ａｒｅａ  Ｎｅｔｗｏｒｋ）プロトコルを用いてヘッダにマジック（ｍａｇｉｃ）情報を追加したメッセージを送信または受信し、
前記マジック情報は、前記メッセージの発信地ＩＰ情報、目的地ＩＰ情報、目的地ＵＤＰ情報を含む、配電網ネットワークシステム。
【請求項２】
前記ゲートウェイは、電力分野のプロトコルを搭載する、請求項１に記載の配電網ネットワークシステム。
【請求項３】
データ中心オブジェクト指向通信（Ｄａｔａ  Ｄｉｓｔｒｉｂｕｔｉｏｎ  Ｓｅｒｖｉｃｅ（ＤＤＳ））方式を利用するノードに含まれ、ＷＡＮ（Ｗｉｄｅ  Ａｒｅａ  Ｎｅｔｗｏｒｋ）に連結された他のゲートウェイ装置と通信するノード管理ゲートウェイ装置であって、
前記他のゲートウェイ装置と前記データ中心オブジェクト指向通信（ＤＤＳ）のＲＴＰＳ（Ｒｅａｌ−Ｔｉｍｅ  Ｐｕｂｌｉｓｈ−Ｓｕｂｓｃｒｉｂｅ）プロトコルを用いてメッセージを送信または受信するＲＴＰＳ処理部であって、前記メッセージのヘッダにマジック（ｍａｇｉｃ）情報を追加して前記ＷＡＮに送信するＲＴＰＳ処理部と、
前記ＲＴＰＳ処理部の動作実行のために前記他のゲートウェイ装置とのネットワーク連結を実行するネットワーク連結部とを含み、
前記マジック情報は、前記メッセージの発信地ＩＰ情報、目的地ＩＰ情報、目的地ＵＤＰ情報を含む、ノード管理ゲートウェイ装置。
【請求項４】
前記ＲＴＰＳ処理部は、
アドレス変換器（Ｎｅｔｗｏｒｋ  Ａｄｄｒｅｓｓ  Ｔｒａｎｓｌａｔｏｒ（ＮＡＴ））を用いない場合に、受信側装置が同一のサブネットにおらず前記受信側装置のマック（ＭＡＣ）アドレスを知らなければ、ＡＲＰ（Ａｄｄｒｅｓｓ  Ｒｅｓｏｌｕｔｉｏｎ  Ｐｒｏｔｏｃｏｌ）要請（ｒｅｑｕｅｓｔ）を前記ＷＡＮにブロードキャストして、ＡＲＰ応答があるゲートウェイ装置に前記メッセージを送信するが、前記メッセージの送信は、前記メッセージのヘッダに前記マジック情報を追加して前記ＡＲＰ応答があるゲートウェイ装置に送信することであり、
前記アドレス変換器（ＮＡＴ）を用いる場合に、ヘッダに前記マジック情報を追加したメッセージを前記ＷＡＮに送信し、前記ＷＡＮから受信されたメッセージにおいて、固定サブネットマッピング（Ｆｉｘｅｄ  Ｓｕｂｎｅｔ  Ｍａｐｐｉｎｇ）に基づいてＩＰ帯域を元通りに変換して前記受信側装置に伝達する、請求項３に記載のノード管理ゲートウェイ装置。
【請求項５】
前記ノード管理ゲートウェイ装置が前記受信側装置に連結された状態で、前記ＲＴＰＳ処理部は、前記受信側装置のマック（ＭＡＣ）アドレスを知らない場合に、前記受信側装置にＡＲＰ要請パケットを送信してＡＲＰ応答パケットを受信し、これに基づいて前記メッセージを前記受信側装置に送信する、請求項４に記載のノード管理ゲートウェイ装置。
【請求項６】
前記ＲＴＰＳ処理部は、前記メッセージのヘッダに前記マジック情報を追加して前記ＷＡＮにアウトバウンド（Ｏｕｔｂｏｕｎｄ）する時、前記マジック情報の発信地ＩＰ情報から最も下位バイトだけを取って、これを前記マジック情報の開始部分に追加し、前記発信地ＩＰ情報の次の位置に目的地ＩＰ情報を追加し、前記目的地ＩＰ情報の次の位置に目的地ＵＤＰ情報を追加し、発信地ＩＰ情報を自体のゲートウェイＩＰに設定し、前記目的地ＩＰ情報を相手側ゲートウェイＩＰに設定する、請求項３から５のいずれか一項に記載のノード管理ゲートウェイ装置。
【請求項７】
前記ＲＴＰＳ処理部は、前記メッセージを前記ＷＡＮからインバウンド（ｉｎｂｏｕｎｄ）する時、自体のゲートウェイＩＰをキー（ｋｅｙ）として用いて仮想サブネットマッピングを参照して、前記メッセージのヘッダに追加されたマジック情報におけるＩＰを送信参加者が受信参加者に送るものに変更し、ＵＤＰも送信参加者が受信参加者に送るものに変更し、前記マジック情報を参照して前記メッセージを受信側装置に送信する、請求項３から６のいずれか一項に記載のノード管理ゲートウェイ装置。
【請求項８】
前記ＲＴＰＳ処理部は、アドレス変換器（ＮＡＴ）を用いる場合に、前記メッセージのヘッダに前記マジック情報を追加して前記ＷＡＮにアウトバウンド（ｏｕｔｂｏｕｎｄ）する時、アウトバウンドサンプルメッセージ中、信頼（ｒｅｌｉａｂｌｅ）ＱｏＳ（Ｑｕａｌｉｔｙ  ｏｆ  Ｓｅｒｖｉｃｅ）に相当するサンプルメッセージを複製して、前記ＷＡＮに２回送信する、請求項３に記載のノード管理ゲートウェイ装置。
【請求項９】
前記ＲＴＰＳ処理部は、前記アウトバウンドサンプルメッセージ中、信頼ＱｏＳに相当するサンプルメッセージに対して、他のゲートウェイ装置間でＥＤＰ（Ｅｎｄｐｏｉｎｔ  Ｄｉｓｃｏｖｅｒｙ  Ｐｒｏｔｏｃｏｌ）メッセージを送信または受信する途中に、データライタ（ｄａｔａｗｒｉｔｅｒ）の情報を盛り込んでいるアウトバウンドメッセージをスニッフィング（ｓｎｉｆｆｉｎｇ）し、当該アウトバウンドメッセージにおけるＱｏＳ設定をスニッフィングし、前記メッセージのヘッダのＧＵＩＤとエンティティ（ｅｎｔｉｔｙ）ＩＤとを組み合わせて当該メッセージのＧＵＩＤ（Ｇｌｏｂａｌｌｙ  Ｕｎｉｑｕｅ  Ｉｄｅｎｔｉｆｉｅｒ）をキーに設定し、ＱｏＳを値（ｖａｌｕｅ）に設定して、ＱｏＳが一定以上になる前記信頼ＱｏＳに相当するサンプルメッセージを複製し、複製したサンプルメッセージを前記ＷＡＮに２回送信する、請求項８に記載のノード管理ゲートウェイ装置。
【請求項１０】
発信側装置に連結され、受信側装置に連結された受信ゲートウェイ装置とＷＡＮ（Ｗｉｄｅ  Ａｒｅａ  Ｎｅｔｗｏｒｋ）を介して通信するゲートウェイ装置のノード管理方法において、
前記ゲートウェイ装置が、ＡＲＰ（Ａｄｄｒｅｓｓ  Ｒｅｓｏｌｕｔｉｏｎ  Ｐｒｏｔｏｃｏｌ）要請（ｒｅｑｕｅｓｔ）パケットを前記ＷＡＮにブロードキャストするステップと、
前記ゲートウェイ装置が、ＡＲＴ応答パケットを送り出した他のゲートウェイ装置にメッセージを送信するステップとを含み、
前記メッセージを送信するステップは、
前記ゲートウェイ装置が、前記メッセージのヘッダにマジック（ｍａｇｉｃ）情報を追加して送信し、
前記マジック情報は、前記メッセージの発信地ＩＰ情報、目的地ＩＰ情報、目的地ＵＤＰ情報を含む、ゲートウェイ装置のノード管理方法。
【請求項１１】
発信側装置に連結され、受信側装置に連結された受信ゲートウェイ装置とＷＡＮ（Ｗｉｄｅ  Ａｒｅａ  Ｎｅｔｗｏｒｋ）を介して通信するゲートウェイ装置のノード管理方法において、
前記ゲートウェイ装置が、前記ＷＡＮから前記受信ゲートウェイ装置の実際のネットワークＩＰ情報が含まれたメッセージを受信するステップと、
前記ゲートウェイ装置が、前記実際のネットワークＩＰ情報を受信者情報とし、自体のＩＰ情報を発信者情報とするメッセージを前記ＷＡＮに送信するステップとを含み、
前記ＷＡＮに送信するステップは、前記メッセージのヘッダにマジック（ｍａｇｉｃ）情報を追加して送信し、
前記マジック情報は、前記メッセージの発信地ＩＰ情報、目的地ＩＰ情報、目的地ＵＤＰ情報を含む、ゲートウェイ装置のノード管理方法。
【請求項１２】
受信側装置に連結され、発信側装置に連結された発信ゲートウェイ装置とＷＡＮ（Ｗｉｄｅ  Ａｒｅａ  Ｎｅｔｗｏｒｋ）を介して通信するゲートウェイ装置のノード管理方法において、
前記ゲートウェイ装置が、前記受信側装置からＩＰ情報が含まれたメッセージを受信するステップと、
前記ゲートウェイ装置が、前記受信されたメッセージにおける前記ＩＰ情報を実際のネットワークＩＰ情報に変換して仮想サブネットマッピングテーブルに格納するステップと、
前記ゲートウェイ装置が、前記実際のネットワークＩＰ情報が含まれたメッセージを前記ＷＡＮに送信するステップと、
前記ゲートウェイ装置が、前記ＷＡＮから応答メッセージを受信するステップと、
前記ゲートウェイ装置が、前記受信された応答メッセージにおいて、前記仮想サブネットマッピングテーブルに基づいて前記実際のネットワークＩＰ情報を元通りに前記ＩＰ情報に変換するステップと、
前記ゲートウェイ装置が、前記実際のネットワークＩＰ情報が元通りに前記ＩＰ情報に変換された応答メッセージを前記受信側装置に伝達するステップとを含む、ゲートウェイ装置のノード管理方法。
【請求項１３】
前記ＷＡＮに送信するステップは、
前記ゲートウェイ装置が、前記メッセージのヘッダにマジック（ｍａｇｉｃ）情報を追加して前記ＷＡＮにアウトバウンド（ｏｕｔｂｏｕｎｄ）するステップであって、前記ゲートウェイ装置が前記マジック情報の発信者ＩＰ情報から最も下位バイトだけを取って、これを前記マジック情報の開始部分に追加し、前記発信者ＩＰ情報の次の位置に目的地ＩＰ情報を追加し、前記目的地ＩＰ情報の次の位置に目的地ＵＤＰ情報を追加し、前記発信者ＩＰ情報を自体のゲートウェイＩＰに設定し、前記目的地ＩＰ情報を相手側ゲートウェイＩＰに設定する、請求項１２に記載のゲートウェイ装置のノード管理方法。
【請求項１４】
前記ＷＡＮから応答メッセージを受信するステップは、
前記ゲートウェイ装置が、前記ＷＡＮから前記応答メッセージをインバウンド（ｉｎｂｏｕｎｄ）する時、自体のゲートウェイＩＰをキー（ｋｅｙ）として用いて仮想サブネットマッピングテーブルを参照して、前記応答メッセージに含まれたマジック情報におけるＩＰを送信参加者が受信参加者に送るものに変更し、ＵＤＰも送信参加者が受信参加者に送るものに変更する、請求項１２または１３に記載のゲートウェイ装置のノード管理方法。
【請求項１５】
前記ゲートウェイ装置が、前記メッセージのヘッダに前記マジック情報を追加して前記ＷＡＮにアウトバウンドする時、アウトバウンドサンプルメッセージ中、信頼（ｒｅｌｉａｂｌｅ）ＱｏＳ（Ｑｕａｌｉｔｙ  ｏｆ  Ｓｅｒｖｉｃｅ）に相当するサンプルメッセージを複製して、前記ＷＡＮに２回送信する、請求項１３または１４に記載のゲートウェイ装置のノード管理方法。
【請求項１６】
前記ゲートウェイ装置が、前記アウトバウンドサンプルメッセージ中、信頼ＱｏＳに相当するサンプルメッセージに対して、他のゲートウェイ装置間でＥＤＰ（Ｅｎｄｐｏｉｎｔ  Ｄｉｓｃｏｖｅｒｙ  Ｐｒｏｔｏｃｏｌ）メッセージを送信したり受信する途中に、データライタ（ｄａｔａｗｒｉｔｅｒ）の情報を盛り込んでいるアウトバウンドメッセージをスニッフィング（ｓｎｉｆｆｉｎｇ）し、当該アウトバウンドメッセージにおけるＱｏＳ設定をスニッフィングし、前記メッセージのヘッダのＧＵＩＤとエンティティ（ｅｎｔｉｔｙ）ＩＤとを組み合わせて当該メッセージのＧＵＩＤ（Ｇｌｏｂａｌｌｙ  Ｕｎｉｑｕｅ  Ｉｄｅｎｔｉｆｉｅｒ）をキー（ｋｅｙ）に設定し、ＱｏＳを値（ｖａｌｕｅ）に設定して、ＱｏＳが一定以上になる前記信頼ＱｏＳに相当するサンプルメッセージを複製し、複製したサンプルメッセージを前記ＷＡＮに２回送信する、請求項１５に記載のゲートウェイ装置のノード管理方法。
【発明の詳細な説明】
【技術分野】
【０００１】
本発明は、ノード管理ゲートウェイ装置およびその方法に関し、より詳細には、エネルギー貯蔵系統や太陽発電系統、風力発電系統、電気車両系統に連結された分散エネルギー資源管理システム（Ｄｉｓｔｒｉｂｕｔｅｄ  Ｅｎｅｒｇｙ  Ｒｅｓｏｕｒｃｅ  Ｍａｎａｇｅｍｅｎｔ  Ｓｙｓｔｅｍ（ＤＥＲＭＳ））の系統連係遮断器と、配電系統や送電系統に連結されたデータ管理システム（Ｄａｔａ  Ｍａｎａｇｅｍｅｎｔ  Ｓｙｓｔｅｍ（ＤＭＳ））の配電自動化端末装置（Ｆｅｅｄｅｒ  Ｒｅｍｏｔｅ  Ｔｅｒｍｉｎａｌ  Ｕｎｉｔ（ＦＲＴＵ））との間でデータ中心オブジェクト指向通信（Ｄａｔａ  Ｄｉｓｔｒｉｂｕｔｉｏｎ  Ｓｅｒｖｉｃｅ（ＤＤＳ））のＲＴＰＳ（Ｒｅａｌ−Ｔｉｍｅ  Ｐｕｂｌｉｓｈ−Ｓｕｂｓｃｒｉｂｅ）プロトコルを用いてメッセージを送受信することにより、ノード間で頻繁に発生するコネクション（ｃｏｎｎｅｃｔｉｏｎ）と、ノードの追加および削除に対する管理をリアルタイムに行えるようにする、ノード管理ゲートウェイ装置およびその方法に関する。
【背景技術】
【０００２】
一般的に、エネルギー貯蔵システム（Ｅｎｅｒｇｙ  Ｓｔｏｒａｇｅ  Ｓｙｓｔｅｍ（ＥＳＳ））系統や風力発電系統、太陽発電系統、電気車両系統などの新再生エネルギー源系統は、図１に示されるように、分散エネルギー資源管理システム（ＤＥＲＭＳ）の系統連係遮断器（ｓｗｉｔｃｈｅｓ）を介して互いに連係している。
【０００３】
図１は、一般的な配電網とグリッド網におけるＤＥＲＭＳおよびＤＭＳのネットワーク構成を示す図である。
【０００４】
図１に示されるように、新再生エネルギー源系統で生産された電力は、データ管理システム（ＤＭＳ）の配電自動化端末装置（ＦＲＴＵ）を介して送電系統や配電系統に供給されている。
【０００５】
このような分散エネルギー資源管理システム（ＤＥＲＭＳ）やデータ管理システム（ＤＭＳ）などは、配電網とグリッド網を介して各種新再生制御設備および系統遮断器とのリアルタイム接続および制御を行っている。
【０００６】
グリッド網は、世界的に普及されて用いられているワールドワイドウェブ（Ｗｏｒｌｄ  Ｗｉｄｅ  Ｗｅｂ（ＷＷＷ））と異なり、コンピュータの処理能力を１箇所に集中させることができるインターネット網で、住宅と工場に電力を供給する電気配線（ｐｏｗｅｒ  ｇｒｉｄ）によく似ていることから「格子線」という意味を有する「グリッド」と名付けられた。つまり、地理的に分散した高性能コンピュータ、大容量データベース（ｄａｔａｂａｓｅ（ＤＢ））、各種情報通信先端装備などをネットワークで連動、相互共有できるようにするものである。「分散コンピューティング（ｄｉｓｔｒｉｂｕｔｅｄ  ｃｏｍｐｕｔｉｎｇ）」または「並列コンピューティング（ｐａｒａｌｌｅｌ  ｃｏｍｐｕｔｉｎｇ）」と呼ばれる該技術を利用する場合、困難な各地域のスーパーコンピュータと一般コンピュータとを連結させて、既存のコンピュータ技術では難しかった高速演算と大量データ処理を行うことができる。
【０００７】
配電網は、配電用変電所から受容端に至る配電線路網であって、配電用変電所から幹線に至るまでの途中に負荷が接続されていない給電線と、給電線に接続して分岐線を分岐させる幹線、適当な位置で幹線から分岐して受容端まで延びている分岐線に区分することができる。
【０００８】
ところが、分散エネルギー資源管理システム（ＤＥＲＭＳ）やデータ管理システム（ＤＭＳ）などは、現在、主にＴＣＰ（Ｔｒａｎｓｍｉｓｓｉｏｎ  Ｃｏｎｔｒｏｌ  Ｐｒｏｔｏｃｏｌ）ソケット基盤の通信を利用しているので、頻繁に発生する各ノードに対するコネクションと、各ノードの追加および削除に対する管理をリアルタイムに行う上で効果的でない問題点がある。
【０００９】
そして、ＴＣＰ／ＩＰ基盤の通信ネットワークを用いることにより、新再生基盤配電網の管理効率のための複雑なシステムが必要であり、異機種システム間の通信の実現が複雑である問題点がある。
【先行技術文献】
【特許文献】
【００１０】
【特許文献１】国際公開第２０１１−０６９０９２号（公開日：２０１１年９月６日）
【発明の概要】
【発明が解決しようとする課題】
【００１１】
上記の問題点を解決するための本発明の目的は、エネルギー貯蔵系統や太陽発電系統、風力発電系統、電気車両系統に連結された分散エネルギー資源管理システム（ＤＥＲＭＳ）の系統連係遮断器と、配電系統や送電系統に連結されたデータ管理システム（ＤＭＳ）の配電自動化端末装置（ＦＲＴＵ）との間でデータ中心オブジェクト指向通信（ＤＤＳ）のＲＴＰＳプロトコルを用いてメッセージを送受信することにより、ノード間で頻繁に発生するコネクションと、ノードの追加および削除に対する管理をリアルタイムに行えるようにする、ノード管理ゲートウェイ装置およびその方法を提供することである。
【課題を解決するための手段】
【００１２】
上記の目的を達成するための、本発明の実施形態に係る配電網ネットワークシステムは、データ中心オブジェクト指向通信（Ｄａｔａ  Ｄｉｓｔｒｉｂｕｔｉｏｎ  Ｓｅｒｖｉｃｅ（ＤＤＳ））方式を利用する複数のノードを含む配電網ネットワークシステムにおいて、上記複数のノードそれぞれは、ＷＡＮ（Ｗｉｄｅ  Ａｒｅａ  Ｎｅｔｗｏｒｋ）に連結されたゲートウェイを含み、上記ゲートウェイは、全ノードがＬＡＮ（Ｌｏｃａｌ  Ａｒｅａ  Ｎｅｔｗｏｒｋ）で通信するかのように通信するようにシンプルトンネリング（Ｓｉｍｐｌｅ  Ｔｕｎｎｅｌｉｎｇ）を適用してＲＴＰＳ（Ｗｉｄｅ  Ａｒｅａ  Ｎｅｔｗｏｒｋ）プロトコルを用いてヘッダにマジック（ｍａｇｉｃ）情報を追加したメッセージを送信または受信し、上記マジック情報は、上記メッセージの発信地ＩＰ情報、目的地ＩＰ情報、目的地ＵＤＰ情報を含むことができる。
【００１３】
一方、上記の目的を達成するための、本発明の実施形態に係るノード管理ゲートウェイ装置は、データ中心オブジェクト指向通信（Ｄａｔａ  Ｄｉｓｔｒｉｂｕｔｉｏｎ  Ｓｅｒｖｉｃｅ（ＤＳＳ））方式を利用するノードに含まれ、ＷＡＮ（Ｗｉｄｅ  Ａｒｅａ  Ｎｅｔｗｏｒｋ）に連結された他のゲートウェイ装置と通信するノード管理ゲートウェイ装置であって、上記他のゲートウェイ装置と上記データ中心オブジェクト指向通信（ＤＤＳ）のＲＴＰＳ（Ｒｅａｌ−Ｔｉｍｅ  Ｐｕｂｌｉｓｈ−Ｓｕｂｓｃｒｉｂｅ）プロトコルを用いてメッセージを送信または受信するＲＴＰＳ処理部であって、上記メッセージのヘッダにマジック（ｍａｇｉｃ）情報を追加して上記ＷＡＮに送信するＲＴＰＳ処理部と、上記ＲＴＰＳ処理部の動作実行のために上記他のゲートウェイ装置とのネットワーク連結を行うネットワーク連結部とを含むことができる。
【００１４】
ここで、上記マジック情報は、上記メッセージの発信地ＩＰ情報、目的地ＩＰ情報、目的地ＵＤＰ情報を含むことができる。
【００１５】
一方、上記の目的を達成するための、本発明の実施形態に係るゲートウェイ装置のノード管理方法は、受信側装置に連結され、発信側装置に連結された発信ゲートウェイ装置とＷＡＮ（Ｗｉｄｅ  Ａｒｅａ  Ｎｅｔｗｏｒｋ）を介して通信するゲートウェイ装置のノード管理方法において、上記ゲートウェイ装置が、上記受信側装置（Ｐ１）からＩＰ情報が含まれたメッセージを受信するステップと、上記ゲートウェイ装置が、上記受信されたメッセージにおける上記ＩＰ情報を実際のネットワークＩＰ情報に変換して仮想サブネットマッピングテーブルに格納するステップと、上記ゲートウェイ装置が、上記実際のネットワークＩＰ情報が含まれたメッセージを上記ＷＡＮに送信するステップと、上記ゲートウェイ装置が、上記ＷＡＮから応答メッセージを受信するステップと、上記ゲートウェイ装置が、上記受信された応答メッセージにおいて、上記仮想サブネットマッピングテーブルに基づいて上記実際のネットワークＩＰ情報を元通りに上記ＩＰ情報に変換するステップと、上記ゲートウェイ装置が、上記実際のネットワークＩＰ情報が元通りに上記ＩＰ情報に変換された応答メッセージを上記受信側装置に伝達するステップとを含むことができる。
【００１６】
本発明の他の態様、利点および特徴は、次のセクション：図面の簡単な説明、詳細な説明および特許請求の範囲を含む全体出願明細書に記載の内容に基づいてより明らかになるであろう。
【発明の効果】
【００１７】
本発明によれば、分散エネルギー資源管理システム（ＤＥＲＭＳ）やデータ管理システム（ＤＭＳ）などの各ノード間で頻繁に発生するコネクションと、ノードの追加および削除などをＤＤＳ通信ミドルウェア基盤のゲートウェイを介してリアルタイムに管理することができる。
【００１８】
また、ＤＤＳ通信ミドルウェア基盤でＲＴＰＳメッセージを送受信することにより、相手の連結情報を知らなくても各ノード間の連結をリアルタイムに実行することができる。
【００１９】
さらに、ＤＤＳ基盤により、すべてのハードウェア（ＨＷ）、ＯＳ（Ｏｐｅｒａｔｉｎｇ  Ｓｙｓｔｅｍ）、プログラミング言語に対して同一のＡＰＩを用いるので、どのシステムとも連動可能であり、追加的なエンジニアリングも最小化することができる。
【００２０】
また、データ中心の通信で拡張性に優れて、ノードの追加および削除時、リアルタイムなイベント管理が可能であるという利点がある。
【００２１】
また、ＱｏＳ政策で通信品質の保障による信頼性を維持することができる。
【００２２】
さらに、ＤＤＳ基盤の通信を利用することにより、新再生基盤の配電網管理を効率的に実施することができ、このための複雑なシステムを必要とせず、異機種システム間の通信も容易に実施することができる。
【００２３】
そして、データ管理システム（ＤＭＳ）のＦＲＴＵを動作する通信方式も、大規模なデバイス間のリアルタイム通信が可能であるので、ＦＲＴＵ間の直接通信による停電時間を短縮できる効果がある。
【図面の簡単な説明】
【００２４】
【図１】一般的な配電網とグリッド網におけるＤＥＲＭＳおよびＤＭＳのネットワーク構成を示す図である。
【図２】本発明の実施形態に係るノード管理ゲートウェイ装置が適用された配電網ネットワークシステムの構成を概略的に示す図である。
【図３】本発明の実施形態に係るＲＴＰＳプロトコルを用いて送信されるメッセージの構造を示す図である。
【図４】本発明の実施形態に係るノード管理ゲートウェイ装置の内部構成を概略的に示す構成図である。
【図５】本発明の実施形態に係るノード管理ゲートウェイ装置のパケット転送経路を説明するための各ノードのＩＰ情報を示す図である。
【図６】本発明の実施形態に係るノード管理ゲートウェイ装置がアドレス変換器（ＮＡＴ）を用いない場合のパケット転送経路を示す図である。
【図７】本発明の実施形態に係るノード管理ゲートウェイ装置がアドレス変換器（ＮＡＴ）を用いる場合のパケット転送経路を示す図である。
【発明を実施するための形態】
【００２５】
以下、添付した図面を参照して、本発明の実施形態について、本発明の属する技術分野における通常の知識を有する者が容易に実施できるように詳細に説明する。本発明は種々の異なる形態で実現可能であり、ここで説明する実施形態に限定されない。
【００２６】
本発明を明確に説明するために説明と関係のない部分は省略し、明細書全体にわたって同一または類似の構成要素については同一の参照符号を付す。
【００２７】
明細書全体において、ある部分が他の部分に「連結」されているとする時、これは、「直接的に連結」されている場合のみならず、その中間に他の素子を挟んで「電気的に連結」されている場合も含む。また、ある部分がある構成要素を「含む」とする時、これは、特に反対の記載がない限り、他の構成要素を除くのではなく、他の構成要素をさらに包含できることを意味する。
【００２８】
ある部分が他の部分の「上に」あると言及する場合、これは、他の部分の真上にあるか、その間に他の部分が伴っていてもよい。対照的に、ある部分が他の部分の「真上に」あると言及する場合、その間に他の部分は伴わない。
【００２９】
第１、第２および第３などの用語は、多様な部分、成分、領域、層および／またはセクションを説明するために使われるが、これらに限定されない。これらの用語は、ある部分、成分、領域、層またはセクションを、他の部分、成分、領域、層またはセクションと区別するためにのみ使われる。したがって、以下に述べる第１の部分、成分、領域、層またはセクションは、本発明の範囲を逸脱しない範囲内で第２の部分、成分、領域、層またはセクションと言及されてもよい。
【００３０】
ここで使われる専門用語は単に特定の実施形態を言及するためのものであり、本発明を限定することを意図しない。ここで使われる単数形態は、文章がこれと明確に反対の意味を示さない限り、複数形態も含む。明細書で使われる「含む」の意味は、特定の特性、領域、整数、段階、動作、要素および／または成分を具体化し、他の特性、領域、整数、段階、動作、要素および／または成分の存在や付加を除外させるわけではない。
【００３１】
「下」、「上」などの相対的な空間を示す用語は、図面に示された一部分の、他の部分に対する関係をより容易に説明するために使われる。これらの用語は、図面で意図した意味とともに用いられている装置の他の意味や動作を含むように意図される。例えば、図中の装置を覆すと、他の部分の「下」にあると説明されているある部分は、他の部分の「上」にあるものとして説明される。したがって、「下」という例示的な用語は、上と下の方向をすべて含む。装置は、９０゜回転または他の角度で回転することができ、相対的な空間を示す用語もこれに基づいて解釈される。
【００３２】
別途に定義しないものの、ここで使われる技術用語および科学用語を含むすべての用語は、本発明の属する技術分野における通常の知識を有する者が一般的に理解する意味と同じ意味を有する。通常使われる辞書に定義された用語は、関連技術文献と現在開示された内容に符合する意味を有すると追加解釈され、定義されない限り、理想的または非常に公式的な意味で解釈されない。
【００３３】
以下、添付した図面を参照して、本発明の実施形態について、本発明の属する技術分野における通常の知識を有する者が容易に実施できるように詳細に説明する。しかし、本発明は種々の異なる形態で実現可能であり、ここで説明する実施形態に限定されない。
【００３４】
図２は、本発明の実施形態に係るノード管理ゲートウェイ装置が適用された配電網ネットワークシステムの構成を概略的に示す図である。
【００３５】
図２を参照すれば、本発明の実施形態に係る配電網ネットワークシステムは、エネルギー貯蔵（Ｅｎｅｒｇｙ  Ｓｔｏｒａｇｅ  Ｓｙｓｔｅｍ（ＥＳＳ））系統、太陽発電系統、風力発電系統、電気車両系統の連係を管理する分散エネルギー資源管理システム（ＤＥＲＭＳ）の各ノードにノード管理ゲートウェイ装置１１０〜１１３が含まれ、送電系統と配電系統の連係を管理するデータ管理システム（ＤＭＳ）の各ノードにもノード管理ゲートウェイ装置１１４〜１２０が含まれる。
【００３６】
複数のノードは、データ中心オブジェクト指向通信（Ｄａｔａ  Ｄｉｓｔｒｉｂｕｔｉｏｎ  Ｓｅｒｖｉｃｅ）方式を利用して通信し、それぞれのノードは、ＷＡＮ（Ｗｉｄｅ  Ａｒｅａ  Ｎｅｔｗｏｒｋ）に連結されたノード管理ゲートウェイ装置１１０〜１２０を含むことができる。
【００３７】
ここで、各ノードは、エネルギー貯蔵系統、太陽発電系統、風力発電系統、電気車両系統などでエネルギーを生産する生産装置Ｐ１、エネルギーを消費する需要装置Ｐ２、エネルギーを貯蔵する貯蔵装置Ｐ４、各装置を管理するサーバ装置Ｐ３などの各装置Ｐ１，Ｐ２，...，Ｐｎと、これらの各装置Ｐ１，Ｐ２，...，Ｐｎに連結されたノード管理ゲートウェイ装置ＧＷ１，ＧＷ２，...，ＧＷｎ（１１０〜１２０）とを含んで構成される。
【００３８】
各ノード管理ゲートウェイ装置１１０〜１２０はすべてＷＡＮに連結されているが、全ノードがＬＡＮ（Ｌｏｃａｌ  Ａｒｅａ  Ｎｅｔｗｏｒｋ）で通信するかのように通信するようにシンプルトンネリング（Ｓｉｍｐｌｅ  Ｔｕｎｎｅｌｉｎｇ）を適用してＲＴＰＳ（Ｒｅａｌ−Ｔｉｍｅ  Ｐｕｂｌｉｓｈ−Ｓｕｂｓｃｒｉｂｅ）プロトコルを用いてメッセージを送信または受信することができる。
【００３９】
ここで、メッセージは、図３に示されるように、ゲートウェイＩＰ情報と、ゲートウェイＵＤＰ情報、マジック（ＭＡＧＩＣ）情報およびメッセージ情報を含む構成を有することができる。図３は、本発明の実施形態に係るＲＴＰＳプロトコルを用いて送信されるメッセージの構造を示す図である。図３に示されるように、メッセージは、マジック（ＭＡＧＩＣ）情報とメッセージ（ＲＴＰＳ  Ｍｅｓｓａｇｅ）情報とから構成され、マジック情報は、シンプルトンネリングのためのパケットであって、発信参加者（ｐａｒｔｉｃｉｐａｎｔ）に関する発信地ＩＰ情報（例えば、Ｐａｒｔｉｃｉｐａｎｔ  ＩＰ．ｓｒｃ）、目的地ＩＰ情報（例えば、Ｐａｒｔｉｃｉｐａｎｔ  ＩＰ．ｄｓｔ）、目的地ＵＤＰ情報（例えば、Ｐａｒｔｉｃｉｐａｎｔ  ＵＤＰ．ｄｓｔ）を含むことができる。ここで、発信地ＩＰ情報は１バイト（１Ｂｙｔｅ）であり、目的地ＩＰ情報は１バイトであり、目的地ＵＤＰ情報は２バイトであってよい。
【００４０】
つまり、既存の配電網ネットワークでは、発信参加者ノードで発信メッセージを発行（ｐｕｂｌｉｓｈ）してＷＡＮにマルチキャストし、着信参加者ノードで発信メッセージを購読（ｓｕｂｓｃｒｉｂｅ）して、これに対する応答（Ｒｅｐｌｙ）メッセージを発信参加者ノードに送信することにより、ＩＰトンネリングが行われるが、本発明に係るシンプルトンネリングは、メッセージに含まれたマジック情報を参照して参加者発信ノードから参加者着信ノードに直接トンネリングを生成することにより、複数の過程を経ずにシンプルなトンネリングをなすことができるのである。
【００４１】
配電網ネットワークシステムにおいて、各ノード管理ゲートウェイ装置１１０〜１２０は、メッセージを送受信する時、メッセージのパケットでヘッダを変更するが、ＷＡＮを介した私設ネットワーク間の通信のために、コンフィギュレーション（ｃｏｎｆｉｇｕｒａｔｉｏｎ）ファイルを用いて各ノードの私設ネットワーク帯域を任意の仮想ネットワーク帯域にマッピングして変更した後、ＷＡＮに送信し、ＷＡＮからＲＴＰＳパケットを受信すると、仮想ネットワーク帯域で目的地ＩＰアドレス帯域を受信した所の実際のネットワーク帯域に変更した後、受信側装置に伝達するのである。
【００４２】
この時、各ノード管理ゲートウェイ装置１１０〜１２０は、ＤＮＰ、ＩＥＣ６１８５０、ＩＥＣ６１９７０などの電力分野のプロトコル（ｐｒｏｔｏｃｏｌ）を搭載したゲートウェイの役割を果たすことができる。
【００４３】
配電網ネットワークにおいて、分散エネルギー資源管理システム（ＤＥＲＭＳ）は、各系統間の連係を系統連係スイッチを介して実行し、データ管理システム（ＤＭＳ）は、各系統間の連係を配電自動化端末装置（ＦＲＴＵ）を介して実行することができる。
【００４４】
したがって、本発明に係るノード管理ゲートウェイ装置１１０〜１２０は、系統連係スイッチ装置の内部に含まれる形態で構成され、別の独立した装置として系統連係スイッチに有線で連結される形態で構成されてもよい。
【００４５】
また、本発明に係るノード管理ゲートウェイ装置１１０〜１２０は、配電自動化端末装置（ＦＲＴＵ）の内部に含まれる形態で構成され、別の独立した装置としてＦＲＴＵにシリアル（ｓｅｒｉａｌ）通信などの有線で連結される形態で構成されてもよい。つまり、本発明に係るノード管理ゲートウェイ装置１１０〜１２０は、ＦＲＴＵを代替するゲートウェイの役割を果たす。
【００４６】
したがって、データ中心オブジェクト指向通信（ＤＤＳ）のＲＴＰＳプロトコルを用いる複数のノード管理ゲートウェイ装置１１０〜１２０の間にはＷＡＮを介して連結されるが、全ノードが各ノード管理ゲートウェイ装置１１０〜１２０を介したシンプルトンネリングによりＬＡＮで通信するかのようにメッセージを送受信することができる。
【００４７】
また、ノード管理ゲートウェイ装置１１１がエネルギー貯蔵システム（ＥＳＳ）系統に有線で連結される場合に、ノード管理ゲートウェイ装置１１１は、例えば、エネルギー貯蔵装置に連結されたゲートウェイ装置としてゲートウェイ機能を実行するとともに、リアルタイムにノード管理を実行することができる。
【００４８】
さらに、ノード管理ゲートウェイ装置１１３が太陽発電系統に有線で連結される場合にも、ノード管理ゲートウェイ装置１１３は、例えば、太陽発電装置に連結されたゲートウェイ装置としてゲートウェイ機能を実行するとともに、リアルタイムにノード管理を実行することができる。
【００４９】
また、ノード管理ゲートウェイ装置１１２が風力発電系統に有線で連結される場合に、ノード管理ゲートウェイ装置１１２は、例えば、風力発電装置に連結されたゲートウェイ装置としてゲートウェイ機能を実行するとともに、リアルタイムにノード管理を実行することができる。
【００５０】
また、ノード管理ゲートウェイ装置１１０が電気車両系統に有線で連結される場合に、ノード管理ゲートウェイ装置１１０は、例えば、電気車両充電装置に連結されたゲートウェイ装置としてゲートウェイ機能を実行するとともに、リアルタイムにノード管理を実行することができる。
【００５１】
また、ノード管理ゲートウェイ装置１１４が送電系統に有線で連結される場合には、ノード管理ゲートウェイ装置１１４は、例えば、送電装置に連結されたゲートウェイ装置としてゲートウェイ機能を実行するとともに、リアルタイムにノード管理を実行することができる。
【００５２】
そして、ノード管理ゲートウェイ装置１２０が配電系統に有線で連結される場合には、ノード管理ゲートウェイ装置１２０は、例えば、配電装置に連結されたゲートウェイ装置としてゲートウェイ機能を実行するとともに、リアルタイムにノード管理を実行することができる。
【００５３】
図４は、本発明の実施形態に係るノード管理ゲートウェイ装置の内部構成を概略的に示す構成図である。
【００５４】
図４を参照すれば、本発明の実施形態に係るノード管理ゲートウェイ装置１１０〜１２０は、データ中心オブジェクト指向通信方式を利用するノードに含まれ、ＷＡＮに連結された他のゲートウェイ装置と通信するために、ＲＴＰＳ処理部２１０と、ネットワーク連結部２２０とを含むことができる。
【００５５】
ＲＴＰＳ処理部２１０は、データ中心オブジェクト指向通信（ＤＤＳ）のＲＴＰＳプロトコルを用いてメッセージを送信または受信するが、メッセージのヘッダにマジック情報を追加してＷＡＮに送信または受信することにより、各ノード間の連結（ｃｏｎｎｅｃｔｉｏｎ）と、各ノードの追加および削除に対する管理をリアルタイムに実行することができる。ここで、マジック情報は、メッセージの発信地ＩＰ情報、目的地ＩＰ情報、目的地ＵＤＰ情報を含む構成を有することができる。
【００５６】
また、ネットワーク連結部２２０は、ＲＴＰＳ処理部２１０の動作実行のために各ノードとのネットワーク連結を実行することができる。つまり、ネットワーク連結部２２０は、ＯＳＩ（Ｏｐｅｎ  Ｓｙｓｔｅｍ  Ｉｎｔｅｒｃｏｎｎｅｃｔｉｏｎ）７階層における物理階層（Ｐｈｙｓｉｃａｌ  Ｌａｙｅｒ）からセッション階層（Ｓｅｓｓｉｏｎ  Ｌａｙｅｒ）までまたはトランスポート階層（Ｔｒａｎｓｐｏｒｔ  Ｌａｙｅｒ）までを含むことができる。
【００５７】
ここで、ＲＴＰＳ処理部２１０は、ＯＳＩ７階層における表現階層（Ｐｒｅｓｅｎｔａｔｉｏｎ  Ｌａｙｅｒ）と応用階層（Ａｐｐｌｉｃａｔｉｏｎ  Ｌａｙｅｒ）との間に位置して、各ノード間の連結と、各ノードの追加および削除に対する管理をリアルタイムに実行することができる。
【００５８】
また、ＲＴＰＳ処理部２１０は、アドレス変換器（Ｎｅｔｗｏｒｋ  Ａｄｄｒｅｓｓ  Ｔｒａｎｓｌａｔｏｒ（ＮＡＴ））を用いない場合に、ＡＲＰ（Ａｄｄｒｅｓｓ  Ｒｅｓｏｌｕｔｉｏｎ  Ｐｒｏｔｏｃｏｌ）要請（ｒｅｑｕｅｓｔ）パケットをＷＡＮにブロードキャスト（ｂｒｏａｄｃａｓｔ）して応答するゲートウェイにメッセージを送信し、アドレス変換器（ＮＡＴ）を用いる場合には、メッセージのヘッダにマジック情報を追加してＷＡＮに送信し、ＷＡＮから受信されたメッセージにおいて、固定サブネットマッピング（Ｆｉｘｅｄ  Ｓｕｂｎｅｔ  Ｍａｐｐｉｎｇ）テーブルに基づいてＩＰ帯域を元通りに変換し、ＩＰ帯域が元通りに変換されたメッセージを受信側装置に伝達することができる。
【００５９】
図５は、本発明の実施形態に係るノード管理ゲートウェイ装置のパケット転送経路を説明するための各ノードのＩＰ情報を示す図である。
【００６０】
本発明の実施形態では、発信側ノードにある第３装置Ｐ３から受信側ノードにある第１装置Ｐ１にメッセージを送信すると仮定して説明する。
【００６１】
図５に示されるように、発信側ノードは、第３地帯（Ｒｅｇｉｏｎ３）に位置する第３装置Ｐ３と、第３装置Ｐ３に連結された第３ゲートウェイＧＷ３とを含む。
【００６２】
第３装置Ｐ３は、ＩＰアドレスが１９２．１６８．２．２であり、第３地帯（Ｒｅｇｉｏｎ３）のＩＰ情報は１９２．１６８．２．０／２４である。第３ゲートウェイ装置ＧＷ３のＩＰ情報は７０．２１１．７．２００／１９２．１６８．２．１を有する。
【００６３】
受信側ノードは、第１地帯（Ｒｅｇｉｏｎ）に位置する第１装置Ｐ１と、第１装置Ｐ１に連結された第１ゲートウェイ装置ＧＷ１とを含む。
【００６４】
第１装置Ｐ１は、ＩＰアドレスが１９２．１６８．０．２であり、第１地帯（Ｒｅｇｉｏｎ）のＩＰ情報は１９２．１６８．０．０／２４である。第１ゲートウェイ装置ＧＷ１のＩＰ情報は２０３．２５２．７４．１／１９２．１６８．０．１である。
【００６５】
第３装置Ｐ３に隣り合う第４装置Ｐ４は、ＩＰアドレスが１９２．１６８．３．２であり、第４地帯（Ｒｅｇｉｏｎ４）に位置しており、第４地帯は、ＩＰ情報が１９２．１６８．３．０／２４である。第４装置Ｐ４に連結された第４ゲートウェイＧＷ４のＩＰ情報は１７１．１１９．１３２．１４８／１９２．１６８．３．１である。
【００６６】
受信側ノードにある第１装置Ｐ１に隣り合う第２装置Ｐ２は、ＩＰアドレスが１９２．１６８．１．２であり、第２地帯（Ｒｅｇｉｏｎ２）に位置しており、第２地帯は、１９２．１６８．１．０／２４に相当するＩＰ情報を有する。
【００６７】
第１ゲートウェイＧＷ１と第２ゲートウェイＧＷ２、第３ゲートウェイＧＷ３および第４ゲートウェイＧＷ４はすべて広帯域網（ＷＡＮ）に連結されており、ＲＴＰＳプロトコルを用いてメッセージの送信時にＩＰトンネリング（Ｔｕｎｎｅｌｉｎｇ）が行われる。
【００６８】
図６は、本発明の実施形態に係るノード管理ゲートウェイ装置がアドレス変換器（ＮＡＴ）を用いない場合のパケット転送経路を示す図である。
【００６９】
図２〜図６を参照すれば、本発明の実施形態に係るノード管理ゲートウェイ装置１１３は、太陽発電系統の第３地帯（Ｒｅｇｉｏｎ３）にある第３装置Ｐ３に連結された第３ゲートウェイ装置ＧＷ３を例に挙げて説明することができる。
【００７０】
図５にて、第３ゲートウェイ装置ＧＷ３は、ＩＰアドレスが１９２．１６８．２．１であり、ＷＡＮに連結されており、第３装置Ｐ３に連結されている。
【００７１】
本発明の実施形態では、図５に示されるように、発信側ノードにある第３装置Ｐ３から受信（着信）側ノードにある第１装置Ｐ１にＲＴＰＳプロトコルを用いてメッセージを送信することを例に挙げて説明する。
【００７２】
図６に示されるように、本発明に係るノード管理ゲートウェイ装置１１３は、ＲＴＰＳ処理部２１０がアドレス変換器（ＮＡＴ）を用いない場合に、受信側ノードにある第１装置Ｐ１が同一のサブネットにおらず第１装置Ｐ１に連結された第１ゲートウェイＧＷ１（１１１）に隣り合う第２ゲートウェイＧＷ２（１１２）のＩＰアドレス（１９２．１６８．１．１）を知っているもののマック（ＭＡＣ）アドレスを知らなければ、第２ゲートウェイＧＷ２のマック（ＭＡＣ）アドレスを知るために、ＡＲＰ要請パケットをＷＡＮにブロードキャストする（Ｓ６１０）。
【００７３】
この時、第１装置Ｐ１に隣り合う第２装置Ｐ２に連結された第２ゲートウェイ装置ＧＷ２（１１２）が、ＡＲＰ応答パケットを発信側ノードにある第３装置Ｐ３に連結された第３ゲートウェイ装置ＧＷ３（１１３）に送信する（Ｓ６２０）。
【００７４】
これによって、第３ゲートウェイ装置ＧＷ３（１１３）は、第２ゲートウェイＧＷ２（１１２）からＡＲＰ応答パケットを受信すると、第２ゲートウェイＧＷ２（１１２）に発信メッセージをユニキャスト（Ｕｎｉｃａｓｔ）方式で送信する（Ｓ６３０）。第２ゲートウェイＧＷ２（１１２）は、第３ゲートウェイ装置ＧＷ３（１１３）から発信メッセージを受信すると、受信された発信メッセージをＷＡＮにブロードキャストする（Ｓ６３０）。
【００７５】
次に、第１ゲートウェイＧＷ１（１１１）は、ＷＡＮを介して発信メッセージを受信して購読（ｓｕｂｃｒｉｂｅ）する（Ｓ６４０）。
【００７６】
この時、第１ゲートウェイＧＷ１（１１１）は、発信メッセージを自体に連結された第１装置Ｐ１（１９２．１６８．０．２）に送信しようと試みるもののマック（ＭＡＣ）アドレスを知らない場合に、第１装置Ｐ１にＡＲＰ要請パケットを送信し、第１装置Ｐ１は、マック（ＭＡＣ）アドレスが含まれたＡＲＰ応答パケットを第１ゲートウェイ装置ＧＷ１（１１１）に転送する（Ｓ６５０）。
【００７７】
次に、第１ゲートウェイ装置ＧＷ１（１１１）は、第１装置Ｐ１からマック（ＭＡＣ）アドレスが含まれたＡＲＰ応答パケットを受信すると、マック（ＭＡＣ）アドレスに基づいて発信メッセージをマック（ＭＡＣ）アドレスを有する第１装置Ｐ１に伝達する（Ｓ６６０）。
【００７８】
したがって、発信側ノードにある第３装置Ｐ３から、発信メッセージが第３ゲートウェイＧＷ３（１１３）と第２ゲートウェイＧＷ２および第１ゲートウェイＧＷ１を経由して、受信（着信）側ノードにある第１装置Ｐ１に送信されるのである。第１装置Ｐ１は、受信された発信メッセージに対する処理を実行することができる。
【００７９】
上述のように、本発明に係るノード管理ゲートウェイ装置１１３は、アドレス変換器（ＮＡＴ）を用いないので、アドレス変換を全くしなくなることにより、同じ帯域を有するＬＡＮが存在してはならないという限界点を解決することができる。
【００８０】
図７は、本発明の実施形態に係るノード管理ゲートウェイ装置がアドレス変換器（ＮＡＴ）を用いる場合のパケット転送経路を示す図である。
【００８１】
図２〜図５および図７を参照すれば、本発明の実施形態に係るノード管理ゲートウェイ装置１１３は、太陽発電系統の第３地帯（Ｒｅｇｉｏｎ３）にある第３装置Ｐ３に連結された第３ゲートウェイ装置ＧＷ３を例に挙げて説明することができる。
【００８２】
図５にて、第３ゲートウェイ装置ＧＷ３は、ＩＰアドレスが１９２．１６８．２．１であり、ＷＡＮに連結されており、第３装置Ｐ３に連結されている。
【００８３】
図７による本発明の実施形態では、発信側ノードにある第３装置Ｐ３から受信（着信）側ノードにある第１装置Ｐ１にＲＴＰＳプロトコルを用いてメッセージを送信することを例に挙げて説明する。
【００８４】
最初に、受信側ノードにある第１装置Ｐ１は、自体の参加者ＩＰ情報（１９２．１６８．０．２：７４１０）をマルチキャスト公開するために第１ゲートウェイＧＷ１（１１１）に伝達すると（Ｓ７１０）、第１ゲートウェイＧＷ１（１１１）は、自体の実際のＩＰ情報（１９２．１６８．０．１）に変換し（Ｓ７２０）、図３に示されるように、マジック情報を追加して発信メッセージを隣り合う第２ゲートウェイＧＷ２（１１２）に送信する（Ｓ７３０）。
【００８５】
この時、第１装置Ｐ１が有するＩＰアドレス（１９２．１６８．０．２）は、仮想ＩＰアドレスであるので、第１ゲートウェイＧＷ１（１１１）は、仮想ＩＰアドレスを自体の実際のＩＰアドレス（１９２．１６８．０．１）に変更し、これに、図３に示されたマジック情報、つまり、発信地（ｓｏｕｒｃｅ）ＩＰと目的地（ｄｅｓｔｉｎａｔｉｏｎ）ＩＰおよび目的地ＵＤＰを追加した発信メッセージを生成し、生成した発信メッセージを第２ゲートウェイＧＷ２（１１２）に伝達するのである。第１ゲートウェイＧＷ１（１１１）は、このように変換されたＩＰ情報を仮想固定サブネットマッピングテーブルに格納しておく。
【００８６】
つまり、本発明に係るＤＤＳゲートウェイ（Ｇ／Ｗ）は、ＬＡＮでの動作を対象とするＤＤＳプロトコルをＷＡＮで動作させるために、パケットのプロトコルヘッダを操作する。
【００８７】
また、本発明は、ＷＡＮを介した私設ネットワーク間の通信のために、ｃｏｎｆｉｇｕｒａｔｉｏｎファイルを用いて遠隔地の私設ネットワーク帯域を任意の仮想ネットワーク帯域にマッピングするのである。
【００８８】
次に、第２ゲートウェイＧＷ２（１１２）は、発信メッセージをＷＡＮにマルチキャストする（Ｓ７４０）。
【００８９】
これによって、本発明に係るノード管理ゲートウェイ装置１１３は、第２ゲートウェイＧＷ２（１１２）からマルチキャストされた発信メッセージを受信して購読する（Ｓ７５０）。
【００９０】
本発明のＳｍａｒｔ  Ｇａｔｅｗａｙにおいて、ＤＤＳ  Ｇ／Ｗは、ＩｏＴ  Ｆｒａｍｅｗｏｒｋからネットワークインタフェースに送り出したパケットを、メモリ通信を介して持ってくることができる。
【００９１】
また、本発明のノード管理ゲートウェイ装置１１０〜１２０は、パケットのヘッダを検査して、ＡＲＰのようなネットワーク通信をするために必要なプロトコル以外のパケットはすべてＤＤＳ  Ｇ／Ｗを通過させ、ＤＤＳパケットに対してのみ処理を進行させることができる。
【００９２】
次に、ノード管理ゲートウェイ装置１１３は、発信メッセージに含まれたマジック情報に基づいて目的地（ｄｓｔ）アドレス情報と自体の（ｓｒｃ）アドレス情報が含まれた発信メッセージを生成して、第２ゲートウェイＧＷ２（１１２）にユニキャスト方式で送信することができる（Ｓ７５０）。
【００９３】
次に、第２ゲートウェイＧＷ２（１１２）は、発信メッセージを受信して、目的地情報に基づいて第１ゲートウェイＧＷ１（１１１）に送信する（Ｓ７６０）。
【００９４】
第１ゲートウェイＧＷ１（１１１）は、発信メッセージにおいて、仮想固定サブネットマッピングテーブルに基づいてＩＰ帯域を元通りに変換し、ＩＰ帯域が元通りに変換された発信メッセージを自体に連結された第１装置Ｐ１に伝達する（Ｓ７７０）。つまり、第１ゲートウェイＧＷ１（１１１）は、第１装置Ｐ１からメッセージの送信要請を受けた時、参加者ＩＰ情報を自体の実際のＩＰアドレスに変換して、仮想固定サブネットマッピングテーブルに格納しておいた情報に基づいて発信メッセージにおけるＩＰ帯域を元通りに復元した後、第１装置Ｐ１に伝達するのである。
【００９５】
また、本発明に係るＲＴＰＳ処理部２１０は、発信メッセージにマジック情報を追加してＷＡＮにアウトバウンドする時、図３に示されるように、マジック情報の発信者ＩＰ情報から最も下位バイトだけを取って、これをマジック情報の開始部分に追加し、発信者ＩＰ情報の次の位置に目的地ＩＰ情報を追加し、目的地ＩＰ情報の次の位置に目的地ＵＤＰ情報を追加し、発信者ＩＰ情報を自体のゲートウェイＩＰに設定し、目的地ＩＰ情報を相手側ゲートウェイＩＰに設定することができる。ここで、アウトバウンドは、自体のリージョン（ｒｅｇｉｏｎ）にある参加者がＤＤＳメッセージを送信したことに相当するので、メッセージをＷＡＮに送信する前に、図３に示されるように、メッセージにマジックパケットを追加してシンプルトンネリングを適用するのである。
【００９６】
さらに、ＲＴＰＳ処理部２１０は、発信メッセージをＷＡＮからインバウンド（ｉｎｂｏｕｎｄ）する時、自体のゲートウェイＩＰをキー（ｋｅｙ）として用いて固定（仮想）サブネットマッピングテーブル（ｖＳｕｂｎｅｔ  ｌｏｏｋｕｐ  Ｔａｂｌｅ）を参照して、発信メッセージに含まれたマジック情報におけるＩＰを送信参加者が受信参加者に送るものに変更し、ＵＤＰも送信参加者が受信参加者に送るものに変更し、マジック情報を参照して発信メッセージを受信側装置に送信することができる。
【００９７】
また、ＲＴＰＳ処理部２１０は、アドレス変換器（ＮＡＴ）を用いる場合に、発信メッセージにマジック情報を追加してＷＡＮにアウトバウンド（Ｏｕｔｂｏｕｎｄ）する時、アウトバウンドサンプルメッセージ中、信頼（Ｒｅｌｉａｂｌｅ）ＱｏＳ（Ｑｕａｌｉｔｙ  ｏｆ  Ｓｅｒｖｉｃｅ）に相当するサンプルメッセージを複製して、元のメッセージと複製したメッセージとをＷＡＮに２回送信することができる。この時、２回目のメッセージ（パケット）は、若干のインターバル（ｉｎｔｅｒｖａｌ）をおいて送信するが、インターバルは、使用者がゲートウェイ設定ファイルを用いて指定するようにすればよい。
【００９８】
そして、ＲＴＰＳ処理部２１０は、他のゲートウェイ間でＥＤＰ（Ｅｎｄｐｏｉｎｔ  Ｄｉｓｃｏｖｅｒｙ  Ｐｒｏｔｏｃｏｌ）メッセージを送信または受信する途中に、データライタ（ｄａｔａｗｒｉｔｅｒ）の情報を盛り込んでいるアウトバウンドメッセージをスニッフィング（ｓｎｉｆｆｉｎｇ）し、当該アウトバウンドメッセージにおけるＱｏＳ設定もスニッフィングし、ＲＴＰＳヘッダのＧＵＩＤとエンティティ（ｅｎｔｉｔｙ）ＩＤとを組み合わせて当該メッセージのＧＵＩＤ（Ｇｌｏｂａｌｌｙ  Ｕｎｉｑｕｅ  Ｉｄｅｎｔｉｆｉｅｒ）をキーに設定し、ＱｏＳを値（ｖａｌｕｅ）に設定して、ＱｏＳが一定以上になる信頼ＱｏＳに相当するサンプルメッセージを複製し、複製したサンプルメッセージをＷＡＮに２回送信することができる。
【００９９】
上述のように、本発明によれば、エネルギー貯蔵系統や太陽発電系統、風力発電系統、電気車両系統に連結された分散エネルギー資源管理システム（ＤＥＲＭＳ）の系統連係遮断器と、配電系統や送電系統に連結されたデータ管理システム（ＤＭＳ）の配電自動化端末装置（ＦＲＴＵ）との間でデータ中心オブジェクト指向通信（ＤＤＳ）のＲＴＰＳプロトコルを用いてメッセージを送受信することにより、ノード間で頻繁に発生するコネクションと、ノードの追加および削除に対する管理をリアルタイムに行えるようにする、ノード管理ゲートウェイ装置およびその方法を実現することができる。
【０１００】
本発明の属する技術分野における当業者は、本発明がその技術的思想や必須的特徴を変更することなく他の具体的な形態で実施できるため、以上で記述した実施形態はあらゆる面で例示的なものであり、限定的ではないと理解しなければならない。本発明の範囲は、詳細な説明よりは後述する特許請求の範囲によって示され、特許請求の範囲の意味および範囲、そしてその等価概念から導出されるあらゆる変更または変形した形態が本発明の範囲に含まれると解釈されなければならない。
【符号の説明】
【０１０１】
１１０〜１２０：ノード管理ゲートウェイ装置
２１０：ＲＴＰＳ処理部
２２０：ネットワーク連結部
ＧＷ１〜ＧＷ４：ゲートウェイ装置
Ｐ１〜Ｐ４：各ノードの当該装置
【図１】
2019097154.tif 000003
【図２】
2019097154.tif 000004
【図３】
2019097154.tif 000005
【図４】
2019097154.tif 000006
【図５】
2019097154.tif 000007
【図６】
2019097154.tif 000008
【図７】
2019097154.tif 000009